(57)【要約】【課題】ガスメータ制御部の電池電源が低下すると制御部の電源が切れ、保存されていたデータが消えてしまうので、ガスメータに何か問題がありデータを明確にして問題把握をしようとしてもデータの解析等が困難になってしまうという課題を有していた。【解決手段】ガスメータは、電源部６が低下し制御部２の電源が切れ保存されていたデータが消えても、遮断発生事由・履歴などの第１の計測部１によって計測された第２のデータとで遮断・警報事由の正当性が明らかとなり、ガスメータに対してどのような問題が発生したのかを把握することができる。【選択図】図１
2006308445.tif 000002
【特許請求の範囲】
【請求項１】
ガスの流量または流速または圧力を計測する計測手段と、前記計測手段による計測値が予め設定された判定基準に達したときにガスの流れを遮断する遮断手段と、前記計測手段の計測値に基づいて前記遮断手段を制御するとともに、前記遮断手段によりガスの流れが遮断されたときの遮断・警報事由を示す第１のデータを発生する制御手段と、前記遮断手段によりガスの流れが遮断されたときの前記第１のデータと前記第２のデータとをそれぞれ記憶保持する記憶手段とを備えたガスメータ。
【請求項２】
第１のデータはデータ遮断履歴またはリセット履歴であり、第２のデータは学習内容、流量値、圧力値、時間のうち少なくとも１つのデータである請求項１記載のガスメータ。
【請求項３】
制御手段は第１のデータと第２のデータとを異なる時間タイミングでそれぞれ記憶手段に記憶保持する請求項２記載のガスメータ。
【請求項４】
制御手段は所定時間ごとに記憶手段に記憶保持されている第２の複数のデータを処理し、
記憶手段は、前記第２のデータの代わりに前記処理値を記憶保持する請求項３記載のガスメータ。
【請求項５】
制御手段は記憶手段に記憶保持された第２のデータを所定時間ごとに更新する請求項３記載のガスメータ。
【請求項６】
記憶手段は一度保持すれば電源がなくてもデータが消滅しないものとする請求項１〜５いずれか１項記載のガスメータ。
【発明の詳細な説明】
【技術分野】
【０００１】
本発明は、遮断装置を有し、この遮断事由を記憶するようにしたガスメータに関するものである。
【背景技術】
【０００２】
従来、この種のガスメータは、電源電圧が低下した場合でも、遮断・警報事由発生の履歴情報を消失させることなく、確実に保持するものである（例えば、特許文献１参照）。
【０００３】
図４は、特許文献１に記載された従来のガスメータを示すもので、計測部４２でガスの流量を検知する。制御部４３は計測部４２で検知した流量値が通常検知されないような値であったときは遮断・警報事由が発生したと認識して、遮断部４４によりガス流を遮断する。
【０００４】
また、遮断・警報事由が発生したときには遮断・警報事由発生の履歴情報として、制御部４３を介して接続された記憶部４５に記憶される。さらに、遮断・警報事由発生の履歴情報を表示部４６を通して視覚的に表示する。
【０００５】
計測部４２、制御部４３、遮断部４４は電源部４１により電源供給がされているが、記憶部４５はバックアップ電源がなくても記憶保持が可能であり、電源部４１からの供給を必要としない。
【０００６】
また、制御部４３には通信部４７が接続されており、外部端末から記憶部４５の記憶データを消去可能である。
【特許文献１】特開２００１−２５５１９１号公報
【発明の開示】
【発明が解決しようとする課題】
【０００７】
しかしながら、前記従来の構成では、電池電源が低下すると制御部の電源が切れ保存されていたデータが消えてしまうので、ガスメータに何か問題がありデータを明確にして問題把握をしようとしてもデータの解析等が困難になってしまうという課題を有していた。
【０００８】
本発明は、前記従来の課題を解決するもので、どのような問題が発生したのか把握することのできるガスメータを提供するものである。
【課題を解決するための手段】
【０００９】
前記従来の課題を解決するために、本発明のガスメータは、ガス流量または流速または圧力を計測する計測手段と、計測手段による計測値が予め設定された判定基準に達したときにガスの流量を遮断する遮断手段と、計測手段によって計測された流量値や圧力値などに基づいて遮断手段を制御するとともに、遮断手段によりガスの流量が遮断されたときの遮断・警報事由を示す第１のデータを発生する制御手段と、遮断手段によりガスの流量を遮断されたときの第１のデータと第２のデータとをそれぞれ記憶保持する記憶手段とを備えるものである。
【００１０】
これによって、記憶手段に保存された第１のデータと第２のデータとを用いて、遮断・警報事由が計測手段によって計測された流量値や圧力値などに基づいたものとなっているかを裏づけを行うことができ、遮断・警報事由の正当性が明らかとなる。
【発明の効果】
【００１１】
本発明のガスメータは、電池電源が低下し制御部の電源が切れ保存されていたデータが消えても、記憶手段に保存された第１のデータと第２のデータとで遮断・警報事由の正当性が明らかとなり、ガスメータに対してどのような問題が発生したのかを把握することができる。
【発明を実施するための最良の形態】
【００１２】
第１の発明は、ガス流量または流速または圧力を計測する計測手段と、計測手段による計測値が予め設定された判定基準に達したときにガスの流量を遮断する遮断手段と、計測手段によって計測された流量値や圧力値に基づいて遮断手段を制御するとともに、遮断手段によりガスの流量が遮断されたときの遮断・警報事由を示す第１のデータを発生する制御手段と、遮断手段によりガスの流量を遮断されたときの第１のデータと第２のデータとをそれぞれ記憶保持する記憶手段とを備えるものである。
【００１３】
これによって、記憶手段に保存された第１のデータと第２のデータとを用いて、遮断・警報事由が計測手段によって計測された流量値や圧力値に基づいたものとなっているかを裏ずけることができ、遮断・警報事由の正当性が明らかになとなる。
【００１４】
第２の発明は、特に、第１の発明の第１のデータはデータ遮断履歴またはリセット履歴とし、第２のデータは学習内容、流量値、圧力値、時間のうち少なくとも１つのデータであるものとする。
【００１５】
これによって、遮断手段による遮断と、制御部によるリセットの発生事実とその事実の発生理由であるデータに区別できる。
【００１６】
第３の発明は、特に、第２の発明の制御手段において、第１のデータと第２のデータとを異なる時間タイミングでそれぞれ記憶手段に記憶保持するようにしたものである。
【００１７】
これによって、遮断手段による遮断と、制御部によるリセットの発生事実とその発生理由であるデータとその発生理由の時間的な要因や前後関係を把握できる。
【００１８】
第４の発明は、特に、第３の発明の制御手段において、所定時間ごとに記憶手段に記憶保持されている第２の複数のデータを処理し、記憶手段は、その第２のデータの代わりに処理値を記憶保持するようにしたものである。
【００１９】
これによって、長期間による膨大な第２のデータの簡素化やデータ解析が容易にできる。
【００２０】
第５の発明は、特に、第３の発明の制御手段において、記憶手段に記憶保持された第２のデータを所定時間ごとに更新するようにしたものである。
【００２１】
これによって、長期間による膨大な第２のデータの簡素化ができる。
【００２２】
第６の発明は、特に、第１から第５の発明において、記憶手段は一度保持すれば電源がなくてもデータが消滅しないものとする。
【００２３】
これによって、電池電源が低下して制御部の電源が切れてもデータの呼び起こしができる。
【００２４】
以下、本発明の実施の形態について、図面を参照しながら説明する。なお、この実施の形態によって本発明が限定されるものではない。
【００２５】
（実施の形態１）
図１に示すように、計測部１でガスの流速や流量、または圧力を検知する。制御部２は計測部１で流量値や圧力値を検知している。そして、計測部１による計測値が通常検知されないような値であったときは遮断・警報事由が発生したと認識して、遮断部３によりガスの流れの遮断を行う。
【００２６】
また、遮断・警報事由が発生したと認識して、遮断部３によりガスの流れの遮断を行うとともに、遮断・警報事由が発生したときの遮断・警報事由発生の履歴、制御部２がリセットされたときの履歴情報を第１のデータとして記憶部４に保存するように制御部２から信号を出力する。
【００２７】
さらに、計測部１は流速や流量値、または圧力値などを常時（一定期間毎に）検知しており、それらの値を第２のデータとして記憶部４に保存する。
【００２８】
また制御部２にはガスメータの使用状況などを計算した学習内容が保存されており、その学習内容も第２のデータとして記憶部４に保存される。
【００２９】
上記にような情報を第２のデータとして保存しておくことにより、第１のデータに示される遮断・警報事由やリセットの原因が適切なものであるかを裏付けることが可能となる。
【００３０】
記憶部４はガスメータに内臓されており、電源部５などのバックアップ電源がなくても記憶保持が可能である。なお、記憶部４はガスメータに内臓されて以外にも、通信部５を介して通信を行い、外部の監視センター等に第１のデータや第２のデータを送信してもよい。
【００３１】
以下のように構成されたガスメータについて、以下その動作、作用を説明する。
【００３２】
図２に第１のデータを生成するための制御部３の処理手順を示す。まず、計測部１は流速や流量値、または圧力値を測定する（ステップ２−１）。
【００３３】
そして、制御部２は計測部１により計測された値が通常値かどうか制御部が判定を行う（ステップ２−２）。
【００３４】
もし、制御部２によって流量値や圧力値、流速が異常値と判定されると、遮断部３によってガスが遮断される（ステップ２−３）。
【００３５】
そして、流量値や圧力値、流速などの異常値を第１のデータとして記憶部４に保存する（ステップ２−４）。また、制御部２は流量値や圧力値、流速などの異常値から遮断事由を演算により特定し、その遮断事由を遮断・警報事由発生の履歴として第１のデータに保存する（ステップ２−５）。
【００３６】
ステップ２−５以降は再びステップ２−１に戻り、この処理を繰り返し行う。もし、ステップ２−２において、制御部２によって流量値や圧力値、流速が異常値と判定されなければ、ステップ２−１に戻る。
【００３７】
次に、第２のデータを生成するための構成を図３に示す。まず制御部２によって１週間に一度、以前に保存された第２のデータを読み出す（ステップ３−１）。
【００３８】
次に、計測部２によって流量値や圧力値、流速を測定する（ステップ３−２）。そして、ステップ３−２で測定された値と、記憶部４に保存された第２のデータとを平均化処理して（ステップ３−３）、平均化処理された値を記憶部４に保存された第２のデータとして上書き保存する（ステップ３−４）。このように、図３に示した処理を行うことにより、第２のデータを簡素化して、記憶部５に保存されるデータ量を少なくすることができる。
【００３９】
なお、図３では処理を行うタイミングを一週間毎としているが、例えば一週間毎日、第２のデータを処理しその一週間の処理を一ヶ月に一度行うといったような変則的なタイミングで処理をしてもよい。そうすることにより、より精度高い第２のデータを生成できる。
【００４０】
以上のように、第１のデータと第２のデータを保存し、それらのデータを用いることにより、第１のデータで示される遮断・警報事由の正当性が第２のデータで裏づけされ、正確な遮断・警報事由が得られることにより、ガスメータに起こった問題を分析し対処できる。
【産業上の利用可能性】
【００４１】
以上のように、本発明にかかるガスメータは、ガスメータに対してどのような問題が発生したのかを把握することができるので、通常のガスメータ以外にも膜式メータや式超音波メータにも利用できる。
【図面の簡単な説明】
【００４２】
【図１】本発明の実施の形態１におけるガスメータの構成図
【図２】本発明の実施の形態１における処理フローチャート
【図３】本発明の実施の形態２における処理フローチャート
【図４】従来のガスメータの構成図
【符号の説明】
【００４３】
１  計測部
２  制御部
３  遮断部
４  記憶部
５  通信部
【図１】
2006308445.tif 000003
【図２】
2006308445.tif 000004
【図３】
2006308445.tif 000005
【図４】
2006308445.tif 000006